(57)【要約】【課題】本発明は、モニタ信号の補正作業を簡易化し得る。【解決手段】本発明は、光ピックアップ１が、波長の異なるレーザ光を出射する２以上のレーザユニットと、対物レンズ１８と、その光路の途中に配置されレーザ光の一部を、発光パワーの監視用に分光するダイクロイックビームスプリッタ３と、レーザ分光を受光して光電信号を生成する受光素子４とを設け、ダイクロイックビームスプリッタ３により、受光素子４がレーザ分光の何れを光電変換しても、同一の値の光電信号を生成する光量のレーザ分光に分光することで、同一の値の光電信号を生成し、発光パワーの監視用に信号レベルの等しいモニタ信号を生成でき、何れかのモニタ信号の信号レベルを補正するだけで、他のモニタ信号にも当該補正を反映でき、かくしてモニタ信号の補正作業を簡易化し得る。【選択図】図２
2009252257.tif 000002
【特許請求の範囲】
【請求項１】
それぞれ波長の異なるレーザ光を出射する少なくとも２以上のレーザ光源と、
上記２以上のレーザ光源から出射された上記波長の異なるレーザ光を集光する集光レンズと、
上記２以上のレーザ光源と上記集光レンズとの光路の途中に配置され、上記２以上のレーザ光源から出射された上記波長の異なるレーザ光の一部をそれぞれレーザ分光として、当該レーザ光の発光パワーの監視用に分光する分光素子と、
上記分光素子により上記波長の異なるレーザ光各々から分光された上記レーザ分光を受光すると共に、当該受光した上記レーザ分光を光電変換することにより光電信号を生成する受光素子と
を具え、
上記分光素子は、
上記２以上のレーザ光源から出射された上記波長の異なるレーザ光の一部を、上記受光素子が上記波長の異なる上記レーザ分光の何れを受光して光電変換しても、同一の値の上記光電信号を生成するような光量の上記レーザ分光に分光する
光ピックアップ。
【請求項２】
上記受光素子により生成された上記光電信号に基づき、上記発光パワーの監視に用いられるパワー監視信号を生成する監視信号生成部と、
上記監視信号生成部により生成された上記パワー監視信号の信号レベルを補正するための補正部と
を具える請求項１に記載の光ピックアップ。
【請求項３】
上記監視信号生成部は、
上記光電信号に基づき上記パワー監視信号を生成する１の信号処理経路のみを有し、上記受光素子により上記波長の異なる上記レーザ分光の何れを光電変換して上記光電信号が生成されても、当該生成された上記光電信号を上記１の信号処理経路に取り込むようにして当該光電信号に基づき上記パワー監視信号を生成する
請求項２に記載の光ピックアップ。
【請求項４】
上記補正部は、
外部から抵抗値を調整可能な１の可変抵抗でなる
請求項３に記載の光ピックアップ。
【請求項５】
それぞれ波長の異なるレーザ光を出射する少なくとも２以上のレーザ光源と、上記２以上のレーザ光源から出射された上記波長の異なるレーザ光を集光する集光レンズと、上記２以上のレーザ光源と上記集光レンズとの光路の途中に配置され、上記２以上のレーザ光源から出射された上記波長の異なるレーザ光の一部をそれぞれレーザ分光として、当該レーザ光の発光パワーの監視用に分光する分光素子と、当該分光素子により上記波長の異なるレーザ光各々から分光された上記レーザ分光を受光すると共に、当該受光した上記レーザ分光を光電変換することにより光電信号を生成する受光素子とを有する光ピックアップと、
上記受光素子により生成された上記光電信号に基づき、上記レーザ光源の出射する上記レーザ光の発光パワーを制御するパワー制御部と
を具え、
上記光ピックアップの上記分光素子は、
上記２以上のレーザ光源から出射された上記波長の異なるレーザ光の一部を、上記受光素子が上記波長の異なる上記レーザ分光の何れを受光して光電変換しても、同一の値の上記光電信号を生成するような光量の上記レーザ分光に分光する
光ディスク装置。
【発明の詳細な説明】
【技術分野】
【０００１】
本発明は光ピックアップ及び光ディスク装置に関し、例えば、ＤＶＤ（Digital  Versatile  Disk）方式及びＣＤ（Compact  Disk）方式の２種類の光ディスクそれぞれに対し情報を記録及び再生可能な光ディスク装置に適用して好適なものである。
【背景技術】
【０００２】
ＤＶＤ方式及びＣＤ方式の２種類の光ディスクでは、情報の記録及び再生に利用されるレーザ光の波長が異なっている。
【０００３】
このため従来の光ディスク装置は、光ピックアップに対し、ＤＶＤ方式の光ディスク及びＣＤ方式の光ディスクに対応させて、それぞれ波長の異なるレーザ光を出射するＤＶＤ方式用のレーザ光源とＣＤ方式用のレーザ光源とが設けられていた。
【０００４】
因みに、以下の説明では、ＤＶＤ方式用のレーザ光源を、ＤＶＤ用レーザ光源とも呼び、ＣＤ方式用のレーザ光源を、ＣＤ用レーザ光源とも呼ぶ。
【０００５】
そして、以下の説明では、これらＤＶＤ用レーザ光源及びＣＤ用レーザ光源を特には区別する必要のない場合、これらをまとめて単にレーザ光源とも呼ぶ。
【０００６】
また、以下の説明では、ＤＶＤ用レーザ光源から出射したレーザ光を、ＤＶＤ用レーザ光とも呼び、ＣＤ用レーザ光源から出射したレーザ光を、ＣＤ用レーザ光とも呼ぶ。
【０００７】
そして、以下の説明では、これらＤＶＤ用レーザ光及びＣＤ用レーザ光を特には区別する必要のない場合、これらをまとめて単にレーザ光とも呼ぶ。
【０００８】
そして光ディスク装置は、ＤＶＤ方式の光ディスクへの情報の記録時、光ピックアップにおいて、ＤＶＤ用レーザ光源から出射したＤＶＤ用レーザ光を対物レンズで集光して光ディスクの記録面に照射することにより、当該光ディスクに情報を記録している。
【０００９】
また光ディスク装置は、ＤＶＤ方式の光ディスクからの情報の再生時、光ピックアップにおいて、ＤＶＤ用レーザ光源から出射したＤＶＤ用レーザ光を対物レンズで集光して光ディスクの記録面に照射すると共に、当該記録面でＤＶＤ用レーザ光が反射して得られる反射レーザ光を再生用の受光素子で受光する。
【００１０】
そして光ディスク装置は、再生用の受光素子により受光した反射レーザ光に基づいて再生信号を生成することにより、光ディスクから再生信号として情報を再生している。
【００１１】
さらに光ディスク装置は、ＣＤ方式の光ディスクに対する情報の記録時及び再生時、ＤＶＤ用レーザ光源に代えてＣＤ用レーザ光源を用いることを除いて上述したＤＶＤ方式の光ディスクに対する情報の記録時及び再生時と同様に動作する。
【００１２】
これにより光ディスク装置は、ＣＤ方式の光ディスクに対しても情報を記録し、また情報を再生することができる（例えば、特許文献１参照）。
【特許文献１】特開２００６−７３１１６公報
【発明の開示】
【発明が解決しようとする課題】
【００１３】
ところで、かかる構成の光ディスク装置において光ピックアップには、ＤＶＤ用レーザ光源及びＣＤ用レーザ光源から対物レンズまでの光路の途中に、当該ＤＶＤ用レーザ光源から出射されたＤＶＤ用レーザ光の一部を分光し、またＣＤ用レーザ光源から出射されたＣＤ用レーザの一部を分光するビームスプリッタが設けられている。
【００１４】
また光ピックアップには、光ディスクに対する情報の記録時及び再生時に、ＤＶＤ用レーザ光源やＣＤ用レーザ光源から出射されるＤＶＤ用レーザ光やＣＤ用レーザ光それぞれの発光パワーを監視するためのパワー監視回路も設けられている。
【００１５】
因みに、以下の説明では、ビームスプリッタにより分光されたＤＶＤ用レーザ光の一部を、ＤＶＤ用レーザ分光とも呼び、当該ビームスプリッタにより分光されたＣＤ用レーザ光の一部を、ＣＤ用レーザ分光とも呼ぶ。
【００１６】
そして、以下の説明では、これらＤＶＤ用レーザ分光及びＣＤ用レーザ分光を特には区別する必要がない場合、これをまとめて単にレーザ分光とも呼ぶ。またパワー監視回路を、フロントモニタ回路とも呼ぶ。
【００１７】
このフロントモニタ回路は、ビームスプリッタによりＤＶＤ用レーザ光やＣＤ用レーザ光から分光されたＤＶＤ用レーザ分光やＣＤ用レーザ分光をモニタ用の受光素子（以下、これをモニタ用受光素子ともいう）で受光して光電変換することにより、電流値でなる光電信号を生成する。
【００１８】
またフロントモニタ回路は、その光電信号に対し、電流／電圧変換処理及び電圧増幅処理等の所定の処理を施すことにより、受光したレーザ分光の光量に応じたモニタ信号を生成し、当該モニタ信号をＡＰＣ(Automatic  Power  Control)回路へ送出する。
【００１９】
そしてＡＰＣ回路は、フロントモニタ回路から与えられたモニタ信号に基づいて、ＤＶＤ用レーザ光源及びＣＤ用レーザ光源から出射され光ディスクの記録面に照射されるＤＶＤ用レーザ光及びＣＤ用レーザ光の発光パワーが、ＤＶＤ方式及びＣＤ方式で個別に規定されている情報の記録時及び再生時の発光パワーとなるように制御する。
【００２０】
ここで、モニタ用受光素子については、受光したレーザ分光の光量[Ｗ]と、当該受光したレーザ分光を光電変換して得られる光電信号の電流値[Ａ]との比率（以下、これを受光感度[Ａ／Ｗ]とも呼ぶ）が、受光するレーザ分光の波長により異なっている。
【００２１】
すなわち、フロントモニタ回路は、例えば、モニタ用受光素子で受光したＤＶＤ用レーザ分光と、ＣＤ用レーザ分光とが同一の光量の場合、これらＤＶＤ用レーザ分光やＣＤ用レーザ分光に応じて電流値[Ａ]の異なる光電信号を得て、その結果、信号レベル（すなわち、電圧値[Ｖ]）の異なるモニタ信号を生成してＡＰＣ回路に送出することになる。
【００２２】
またモニタ用受光素子については、その製造精度等により受光感度にばらつきがある。
【００２３】
このため、複数のフロントモニタ回路を比較すると、例えば、モニタ用受光素子により、同一波長でかつ同一の光量のレーザ分光を受光しても、信号レベルの異なるモニタ信号を生成する場合がある。
【００２４】
そしてＡＰＣ回路は、フロントモニタ回路から、受光したレーザ分光の光量に応じた本来の信号レベルとは異なる信号レベルのモニタ信号が与えられると、モニタ信号に基づき、レーザ光の発光パワーを規定の発光パワーとは異なるように制御することになる。
【００２５】
従ってフロントモニタ回路には、モニタ用受光素子の受光感度のばらつきを考慮して、モニタ信号の信号レベル（すなわち、電圧値）を補正するための可変抵抗が設けられ、当該可変抵抗の抵抗値を外部から調整し得るようになされている。
【００２６】
ところが、かかる構成のフロントモニタ回路では、上述したように、モニタ用受光素子の受光感度が、受光するレーザ分光の波長毎に異なる。
【００２７】
このため、従来の光ディスク装置では、ＤＶＤ用レーザ光源からＤＶＤ用レーザ光を出射した場合と、ＣＤ用レーザ光源からＣＤ用レーザ光を出射した場合の双方において、フロントモニタ回路の可変抵抗の抵抗値を調整して、モニタ信号の信号レベルを補正する必要があり、モニタ信号の信号レベルの補正作業が煩雑であるという問題があった。
【００２８】
本発明は以上の点を考慮してなされたもので、モニタ信号の信号レベルの補正作業を簡易化し得る光ピックアップ及び光ディスク装置を提案しようとするものである。
【課題を解決するための手段】
【００２９】
かかる課題を解決するため本発明においては、光ピックアップにおいて、それぞれ波長の異なるレーザ光を出射する少なくとも２以上のレーザ光源と、当該２以上のレーザ光源から出射された波長の異なるレーザ光を集光する集光レンズと、２以上のレーザ光源と集光レンズとの光路の途中に配置され、２以上のレーザ光源から出射された波長の異なるレーザ光の一部をそれぞれレーザ分光として、当該レーザ光の発光パワーの監視用に分光する分光素子と、当該分光素子により波長の異なるレーザ光各々から分光されたレーザ分光を受光すると共に、当該受光したレーザ分光を光電変換することにより光電信号を生成する受光素子とを設けるようにし、分光素子により、２以上のレーザ光源から出射された波長の異なるレーザ光の一部を、受光素子が波長の異なるレーザ分光の何れを受光して光電変換しても、同一の値の光電信号を生成するような光量のレーザ分光に分光するようにした。
【００３０】
従って本発明では、受光素子において波長の異なるレーザ分光の何れを受光したときでも、当該受信したレーザ分光を光電変換して同一の電流値の光電信号を生成することができると共に、当該生成した光電信号をもとに、レーザ光の発光パワーの監視用に信号レベルの等しいパワー監視信号を生成することができる。その結果、本説明では、波長の異なるレーザ分光をもとに生成された何れか１つのパワー監視信号の信号レベルを補正するだけで、他のパワー監視信号にもその信号レベルの補正を反映させることができる。
【発明の効果】
【００３１】
本発明によれば、光ピックアップにおいて、それぞれ波長の異なるレーザ光を出射する少なくとも２以上のレーザ光源と、当該２以上のレーザ光源から出射された波長の異なるレーザ光を集光する集光レンズと、２以上のレーザ光源と集光レンズとの光路の途中に配置され、２以上のレーザ光源から出射された波長の異なるレーザ光の一部をそれぞれレーザ分光として、当該レーザ光の発光パワーの監視用に分光する分光素子と、当該分光素子により波長の異なるレーザ光各々から分光されたレーザ分光を受光すると共に、当該受光したレーザ分光を光電変換することにより光電信号を生成する受光素子とを設けるようにし、分光素子により、２以上のレーザ光源から出射された波長の異なるレーザ光の一部を、受光素子が波長の異なるレーザ分光の何れを受光して光電変換しても、同一の値の光電信号を生成するような光量のレーザ分光に分光するようにしたことにより、受光素子において波長の異なるレーザ分光の何れを受光したときでも、当該受信したレーザ分光を光電変換して同一の電流値の光電信号を生成することができると共に、当該生成した光電信号をもとに、レーザ光の発光パワーの監視用に信号レベルの等しいパワー監視信号を生成することができ、その結果、波長の異なるレーザ分光をもとに生成された何れか１つのパワー監視信号の信号レベルを補正するだけで、他のパワー監視信号にもその信号レベルの補正を反映させることができ、かくしてパワー監視信号の補正作業を簡易化し得る光ピックアップ及び光ディスク装置を実現することができる。
【発明を実施するための最良の形態】
【００３２】
以下図面について、本発明の一実施の形態を詳述する。
【００３３】
（１）光ディスク装置の構成
図１において、１０は全体として本発明による光ディスク装置を示す。かかる光ディスク装置１０は、制御部１１を中心に構成されており、ＤＶＤ方式及びＣＤ方式の２種類の光ディスク１９それぞれに情報を記録し、また光ディスク１９に記録された情報を再生し得るようになされている。
【００３４】
因みに、以下の説明では、ＤＶＤ方式の光ディスクを、ＤＶＤとも呼び、ＣＤ方式の光ディスクを、ＣＤとも呼ぶ。
【００３５】
そして、以下の説明では、これらＤＶＤ及びＣＤを特には区別する必要のない場合、これらをまとめて単に光ディスクとも呼ぶ。
【００３６】
また、光ディスク装置１０は、例えば、ノート型のコンピュータ装置に搭載されることが想定されている。
【００３７】
制御部１１は、図示しないＣＰＵ（Central  Processing  Unit）と、各種プログラム等が格納されるＲＯＭ（Read  Only  Memory）と、ＣＰＵのワークメモリとして用いられるＲＡＭ（Random  Access  Memory）等によって構成されており、光ディスク装置１０を統括制御する。
【００３８】
これにより制御部１１は、駆動部１２を介してスピンドルモータ１４を回転駆動させることにより、ターンテーブル（図示せず）に載置された光ディスク１９を所望の速度で回転させる。
【００３９】
この状態で制御部１１は、光ディスク１９に対する情報の記録時、記録対象の情報を信号処理部１３へ送出する。
【００４０】
信号処理部１３は、その情報に対し所定の符号化処理及び変調処理等を施すことにより記録信号を生成し、これを光ピックアップ１へ送出する。
【００４１】
光ピックアップ１は、信号処理部１３から与えられた記録信号に基づき、情報記録用のレーザ光を出射すると共に、当該レーザ光を対物レンズ１８に通して集光させて光ディスク１９の記録面に照射する。
【００４２】
これにより光ピックアップ１は、光ディスク１９の記録面に情報を記録し得るようになされている。
【００４３】
ところで光ピックアップ１は、このとき光ディスク１９の記録面でレーザ光が反射して得られる反射レーザ光を受光し、その受光結果に応じた受光信号を生成して信号処理部１３へ送出する。
【００４４】
この場合、信号処理部１３は、その受光信号に基づいてフォーカスエラー信号及びトラッキングエラー信号を生成し、これらを制御部１１を介して駆動部１２に送出する。
【００４５】
そして駆動部１２は、フォーカスエラー信号に基づいて光ピックアップ１の２軸アクチュエータ１６を駆動制御することにより、対物レンズ１８が搭載された対物レンズホルダ１７を、光ディスク１９に近接又は隔離させるフォーカス方向に移動させる。
【００４６】
このようにして駆動部１２は、対物レンズ１８をフォーカス方向へ移動させるフォーカス制御を行うことにより、光ディスク１９の記録面において所望のトラックにレーザ光の焦点を合わせることができる。
【００４７】
また駆動部１２は、トラッキングエラー信号に基づいて光ピックアップ１の２軸アクチュエータ１６を駆動制御することにより、対物レンズ１８を光ディスク１９の内周側又は外周側へ向かうトラッキング方向に細かく移動させる。
【００４８】
このようにして駆動部１２は、対物レンズ１８をトラッキング方向へ細かく移動させるトラッキング制御を行うことにより、光ディスク１９の記録面において所望のトラックにレーザ光の焦点を追従させることができる。
【００４９】
一方、制御部１１は、光ディスク１９からの情報の再生時、光ピックアップ１において情報再生用のレーザ光を出射させると共に、当該レーザ光を対物レンズ１８に通して集光させて光ディスク１９の記録面に照射させる。
【００５０】
また光ピックアップ１は、このとき光ディスク１９の記録面でレーザ光が反射して得られる反射レーザ光を受光し、その受光結果に応じた受光信号を生成して信号処理部１３へ送出する。
【００５１】
信号処理部１３は、その受光信号に基づき再生ＲＦ信号を生成し、これに所定の復調処理や復号処理等を施すことにより、光ディスク１９の記録面に記録されている情報を再生し得るようになされている。
【００５２】
ところで、信号処理部１３は、情報の再生時にも検出信号に基づいてフォーカスエラー信号及びトラッキングエラー信号を生成し、これらを制御部１１を介して駆動部１２へ送出する。
【００５３】
これにより駆動部１２は、情報の再生時にも、上述と同様に対物レンズ１８のフォーカス制御及びトラッキング制御を行う。
【００５４】
因みに、制御部１１は、情報の記録時及び再生時、適宜、駆動部１２を介してスレッドモータ１５を駆動させることにより、移動軸２０に沿って光ピックアップ１をトラッキング方向に大きく移動させるトラックジャンプ制御を行う。
【００５５】
以上のように、光ディスク装置１０は、光ディスク１９の所望のトラックに対し、レーザ光を合焦させることにより、当該光ディスク１９に対して情報を記録し、また当該光ディスク１９から情報を再生するようになされている。
【００５６】
（２）光ピックアップの構成
光ピックアップ１には、ＤＶＤ方式用のレーザ光源と受光素子とを一体とする等にして形成された当該ＤＶＤ方式用のレーザユニットと、ＣＤ方式用のレーザ光源と受光素子とを一体するようにして形成されたＣＤ方式用のレーザユニットが設けられている。
【００５７】
因みに、以下の説明では、ＤＶＤ方式用のレーザユニットを、ＤＶＤ用レーザユニットとも呼び、ＣＤ方式用のレーザユニットを、ＣＤ用のレーザユニットとも呼ぶ。
【００５８】
そして、以下の説明では、これらＤＶＤ方式用のレーザユニット及びＣＤ方式用のレーザユニットを特には区別する必要のない場合、これらをまとめて単にレーザユニットとも呼ぶ。
【００５９】
また、以下の説明では、ＤＶＤに対する情報の記録時及び再生時にＤＶＤ用レーザユニットから出射したレーザ光を、ＤＶＤ用レーザ光とも呼び、当該ＤＶＤ用レーザユニットにより受光する反射レーザ光を、ＤＶＤ用反射レーザ光とも呼ぶ。
【００６０】
さらに、以下の説明では、ＣＤに対する情報の記録時及び再生時にＣＤ用レーザユニットから出射したレーザ光を、ＣＤ用レーザ光とも呼び、当該ＣＤ用レーザユニットにより受光する反射レーザ光を、ＣＤ用反射レーザ光とも呼ぶ。
【００６１】
そして、以下の説明では、これらＤＶＤ用レーザ光及びＣＤ用レーザ光を特には区別する必要がない場合、これらをまとめて単にレーザ光とも呼び、ＤＶＤ用反射レーザ光及びＣＤ用反射レーザ光を特には区別する必要がない場合、これらをまとめて単に反射レーザ光とも呼ぶ。
【００６２】
また光ピックアップ１には、ＤＶＤ用レーザユニット及びＣＤ用レーザユニットから対物レンズ１８までの光路の途中に、当該ＤＶＤ用レーザユニットから出射されたＤＶＤ用レーザ光の一部を分光し、またＣＤ用レーザユニットから出射されたＣＤ用レーザ光の一部を分光するプレート型のダイクロイックビームスプリッタが設けられている。
【００６３】
図２を用いて、光ディスク１９としてＤＶＤ１９ａがターンテーブル（図示せず）に載置され、ＤＶＤ１９ａに情報を記録、またＤＶＤ１９ａに記録された情報を再生する場合の光ピックアップ１の処理について説明する。
【００６４】
光ピックアップ１は、ＤＶＤ１９ａへの情報の記録時、信号処理部１３から与えられる記録信号をレーザドライバ（図示せず）に取り込む。レーザドライバは、記録信号を増幅等することにより駆動信号を生成し、当該駆動信号をＤＶＤ用レーザユニット２ａへ送出する。
【００６５】
ここで、ＤＶＤ用レーザユニット２ａは、ＤＶＤ方式用レーザ光源としてのレーザダイオード５ａと受光素子としてのフォトダイオード６ａとホログラフィック光学素子７ａとが一体化されて形成されている。
【００６６】
ＤＶＤ用レーザユニット２ａは、レーザドライバから与えられる駆動信号をレーザダイオード５ａに取り込む。
【００６７】
そしてレーザダイオード５ａは、駆動信号に基づき、記録用の所定の光量でなる波長６６０[ｎｍ]のＤＶＤ用レーザ光Ｌ１を出射して、コリメータレンズ８ａに通して平行光に変換して、ダイクロイックビームスプリッタ３に入射させる。
【００６８】
ダイクロイックビームスプリッタ３は、入射するレーザ光の一部を反射し、一部を透過させるようにして当該レーザ光を分光する分光素子である。
【００６９】
そしてダイクロイックビームスプリッタ３は、板ガラスの表面３ａに誘電体多層膜や金属薄膜でなる反射防止膜が蒸着されると共に、裏面３ｂに波長選択性膜が蒸着されている。
【００７０】
これによりダイクロイックビームスプリッタ３は、反射防止膜及び波長選択性膜の膜特性により波長の異なるＤＶＤ用レーザ光及びＣＤ用レーザ光毎の分光比（すなわち、レーザ光の透過率と反射率との比）が選定されている。
【００７１】
この際、ダイクロイックビームスプリッタ３は、入射するＤＶＤ用レーザ光Ｌ１の一部を透過させると共に、一部を反射させるように当該ＤＶＤ用レーザ光Ｌ１を分光する。
【００７２】
因みに、以下の説明では、ＤＶＤ用レーザ光から透過によって分光された当該ＤＶＤ用レーザ光の一部を、ＤＶＤ用透過レーザ分光とも呼び、当該ＤＶＤ用レーザ光から反射によって分光された当該ＤＶＤ用レーザ光の一部を、ＤＶＤ用反射レーザ分光とも呼ぶ。
【００７３】
ＤＶＤ用レーザ光Ｌ１のうち一部がダイクロイックビームスプリッタ３を透過して得られたＤＶＤ用透過レーザ分光Ｌ１ａは、立上ミラー９で反射されて、対物レンズ１８へ入射する。
【００７４】
対物レンズ１８は、ＤＶＤ用透過レーザ分光Ｌ１ａを集光してＤＶＤ１９ａの記録層に照射する。このときＤＶＤ１９ａの記録層には、ＤＶＤ用透過レーザ分光Ｌ１ａの照射位置に、当該ＤＶＤ用透過レーザ分光Ｌ１ａの変調パターンに応じた記録マークが形成される。
【００７５】
一方、ＤＶＤ用レーザ光Ｌ１の一部がダイクロイックビームスプリッタ３で反射して得られたＤＶＤ用反射レーザ分光Ｌ１ｂは、後述するレーザ光の発光パワーを監視するためのパワー監視回路に設けられた受光素子４に入射する。
【００７６】
因みに、以下の説明では、パワー監視回路をフロントモニタ回路とも呼び、当該フロントモニタ回路に設けられた受光素子４をモニタ用受光素子とも呼ぶ。
【００７７】
また、光ピックアップ１は、ＤＶＤ１９ａからの情報の再生時、制御部１１から与えられる再生光量信号をレーザドライバ（図示せず）に取り込む。レーザドライバは、再生光量信号を増幅等することにより一定の信号レベルでなる駆動信号を生成し、当該駆動信号をＤＶＤ用レーザユニット２ａに送出する。
【００７８】
ＤＶＤ用レーザユニット２ａは、レーザドライバから与えられる駆動信号をレーザダイオード５ａに取り込む。
【００７９】
そしてレーザダイオード５ａは、駆動信号に基づき再生用の光量でなるＤＶＤ用レーザ光Ｌ１を出射して、上述の記録時と同様、コリメータレンズ８ａを介してダイクロイックビームスプリッタ３へ入射させる。
【００８０】
ＤＶＤ用レーザ光Ｌ１の一部がダイクロイックビームスプリッタ３で反射して得られたＤＶＤ用反射レーザ分光Ｌ１ｂは、モニタ用受光素子４に入射する。一方、ＤＶＤ用レーザ光Ｌ１の一部がダイクロイックビームスプリッタ３を透過して得られたＤＶＤ用透過レーザ分光Ｌ１ａは、立上ミラー９で反射されて、対物レンズ１８へ入射する。
【００８１】
対物レンズ１８は、ＤＶＤ用透過レーザ分光Ｌ１ａを集光し、ＤＶＤ１９ａの記録層に照射する。このときＤＶＤ１９ａの記録層でＤＶＤ用透過レーザ分光Ｌ１ａが、反射して得られる反射レーザ光（以下、これをＤＶＤ用反射レーザ光Ｌ１ｃとも呼ぶ）は、対物レンズ１８で平行光に変換され、立上ミラー９で反射された後、ダイクロイックビームスプリッタ３及びコリメータレンズ８ａを順次透過してＤＶＤ用レーザユニット２ａに到達する。
【００８２】
ＤＶＤ用レーザユニット２ａは、ＤＶＤ用反射レーザ光Ｌ１ｃをホログラフィック光学素子７ａ（holographic  optical  element:ＨＯＥ）によって折り曲げてフォトダイオード６ａで受光する。
【００８３】
フォトダイオード６ａは、ＤＶＤ用反射レーザ光Ｌ１ｃを受光すると、その受光結果に応じた受光信号を生成し、これを信号処理部１３へ送出する。
【００８４】
信号処理部１３は、受光信号を基に所定の演算処理を行うことにより、フォーカスエラー信号及びトラッキングエラー信号を生成し、これらを制御部１１を介して駆動部１２へ送出する。
【００８５】
次に図３を用いて、光ディスク１９としてＣＤ１９ｂがターンテーブル（図示せず）に載置され、ＣＤ１９ｂに情報を記録、またＣＤ１９ｂに記録された情報を再生する場合の光ピックアップ１の処理について説明する。
【００８６】
光ピックアップ１は、ＣＤ１９ｂへの情報の記録時、信号処理部１３から与えられる記録信号をレーザドライバ（図示せず）へ取り込む。レーザドライバは、記録信号を増幅等することにより駆動信号を生成し、当該駆動信号をＣＤ用レーザユニット２ｂへ送出する。
【００８７】
ここで、ＣＤ用レーザユニット２ｂは、ＣＤ方式用のレーザ光源としてのレーザダイオード５ｂと受光素子としてのフォトダイオード６ｂとホログラフィック光学素子７ｂとが一体化されて形成されている。
【００８８】
ＣＤ用レーザユニット２ｂは、レーザドライバから与えられる駆動信号をレーザダイオード５ｂに取り込む。
【００８９】
そしてレーザダイオード５ｂは、駆動信号に基づき、記録用の所定の光量でなる波長７８０[ｎｍ]のＣＤ用レーザ光Ｌ２を出射して、コリメータレンズ８ｂに通して平行光に変換して、ダイクロイックビームスプリッタ３に入射させる。
【００９０】
この際、ダイクロイックビームスプリッタ３は、入射するＣＤ用レーザ光Ｌ２の一部を透過させると共に、一部を反射させるように当該ＣＤ用レーザ光Ｌ２を分光する。
【００９１】
因みに、以下の説明では、ＣＤ用レーザ光から透過によって分光された当該ＣＤ用レーザ光の一部を、ＣＤ用透過レーザ分光とも呼び、当該ＣＤ用レーザ光から反射によって分光された当該ＣＤ用レーザ光の一部を、ＣＤ用反射レーザ分光とも呼ぶ。
【００９２】
ＣＤ用レーザ光Ｌ２のうち一部がダイクロイックビームスプリッタ３で反射して得られたＣＤ用反射レーザ分光Ｌ２ａは、立上ミラー９で反射されて、対物レンズ１８へ入射する。
【００９３】
対物レンズ１８は、ＣＤ用反射レーザ分光Ｌ２ａを集光してＣＤ１９ｂの記録層に照射する。このときＣＤ１９ｂの記録層には、ＣＤ用反射レーザ分光Ｌ２ａの照射位置に、当該ＣＤ用反射レーザ分光Ｌ２ａの変調パターンに応じた記録マークが形成される。
【００９４】
一方、ＣＤ用レーザ光Ｌ２の一部がダイクロイックビームスプリッタ３を透過して得られたＣＤ用透過レーザ分光Ｌ２ｂは、フロントモニタ回路に設けられたモニタ用受光素子４に入射する。
【００９５】
また、光ピックアップ１は、ＣＤ１９ｂからの情報の再生時、制御部１１から与えられる再生光量信号をレーザドライバ（図示せず）に取り込む。レーザドライバは、再生光量信号を増幅等することにより一定の信号レベルでなる駆動信号を生成し、当該駆動信号をＣＤ用レーザユニット２ｂに送出する。
【００９６】
ＣＤ用レーザユニット２ｂは、レーザドライバから与えられる駆動信号をレーザダイオード５ｂに取り込む。そしてレーザダイオード５ｂは、駆動信号に基づき再生用の光量でなるＣＤ用レーザ光Ｌ２を出射して、上述の記録時と同様、コリメータレンズ８ｂを介してダイクロイックビームスプリッタ３へ入射させる。
【００９７】
ＣＤ用レーザ光Ｌ２の一部がダイクロイックビームスプリッタ３を透過して得られたＣＤ用透過レーザ分光Ｌ２ｂは、モニタ用受光素子４に入射する。一方、ＣＤ用レーザ光の一部がダイクロイックビームスプリッタ３で反射して得られたＣＤ用反射レーザ分光Ｌ２ａは、立上ミラー９で反射されて、対物レンズ１８へ入射する。
【００９８】
対物レンズ１８は、ＣＤ用反射レーザ分光Ｌ２ａを集光し、ＣＤ１９ｂの記録層に照射する。このときＣＤ１９ｂの記録層でＣＤ用反射レーザ分光Ｌ２ａが反射して得られる反射レーザ光（以下、これをＣＤ用反射レーザ光Ｌ２ｃとも呼ぶ）は、対物レンズ１８で平行光に変換され、立上ミラー９で反射された後、ダイクロイックビームスプリッタ３で反射され、コリメータレンズ８ｂを透過してＣＤ用レーザユニット２ｂに到達する。
【００９９】
ＣＤ用レーザユニット２ｂは、ＣＤ用反射レーザ光Ｌ２ｃをホログラフィック光学素子７ｂによって折り曲げてフォトダイオード６ｂで受光する。
【０１００】
フォトダイオード６ｂは、ＣＤ用反射レーザ光Ｌ２ｃを受光すると、その受光結果に応じた受光信号を生成し、これを信号処理部１３へ送出する。
【０１０１】
信号処理部１３は、受光信号を基に所定の演算処理を行うことにより、フォーカスエラー信号及びトラッキングエラー信号を生成し、これらを制御部１１を介して駆動部１２へ送出する。
【０１０２】
このようにして、光ピックアップ１は、ＤＶＤ１９ａ及びＣＤ１９ｂに対して情報を記録し、またＤＶＤ１９ａ及びＣＤ１９ｂに記録された情報を再生することができる。また、光ピックアップ１はＤＶＤ用レーザユニット２ａ及びＣＤ用レーザユニット２ｂから出射されたＤＶＤ用レーザ光Ｌ１及びＣＤ用レーザ光Ｌ２を分光して、その一部をモニタ用受光素子４へ入射させるようにしている。
【０１０３】
因みに、以下の説明では、フロントモニタ回路のモニタ用受光素子４で受光するＤＶＤ用反射レーザ分光Ｌ１ｂとＣＤ用透過レーザ分光Ｌ２ｂとを特には区別する必要がない場合、これらをまとめて単にレーザ分光とも呼ぶ。
【０１０４】
（３）フロントモニタ回路の構成
次に、図４を用いてフロントモニタ回路の回路構成について説明する。
【０１０５】
フロントモニタ回路２０は、モニタ用受光素子４と、モニタ信号生成部２１と、信号レベル補正用の可変抵抗２４とから構成される。
【０１０６】
実際上、フロントモニタ回路２０には、モニタ用受光素子４として、フォトダイオードが設けられており、当該フォトダイオードのアノードが接地されると共に、カソードがオペアンプ２２の反転入力端子に接続されている。
【０１０７】
またオペアンプ２２の非反転入力端子は、抵抗２６を介して基準電圧入力端子に接続され、当該基準電圧入力端子から供給されるリファレンス電圧が印加されている。
【０１０８】
さらにオペアンプ２２は、出力端子が可変抵抗２４の一端に接続されると共に、電流／電圧変換抵抗２３を介して反転入力端子に接続されている。
【０１０９】
そしてオペアンプ２２は、電流／電圧変換抵抗２３及び抵抗２６と共に電流／電圧変換回路３０を構成している。
【０１１０】
また可変抵抗２４の他端は、抵抗２７を介してオペアンプ２５の反転入力端子に接続されている。
【０１１１】
さらにオペアンプ２５の非反転入力端子は、抵抗２８を介して基準電圧入力端子に接続され、当該基準電圧入力端子から供給されるリファレンス電圧が印加されている。
【０１１２】
さらにまた、オペアンプ２５の出力端子は、ＡＰＣ回路に接続されると共に、帰還抵抗２９を介して反転入力端子に接続されている。そしてオペアンプ２５は、抵抗２７及び抵抗２８と帰還抵抗２９と共に電圧増幅回路３１を構成している。
【０１１３】
かかる構成のフロントモニタ回路２０においてモニタ用受光素子４としてのフォトダイオードは、レーザ分光を受光すると、当該受光したレーザ分光を光電変換することによりレーザ分光の光量に応じた電流値でなる光電信号を生成する。
【０１１４】
また電流／電圧変換回路３０は、フォトダイオードにより生成された光電信号を、その電流値に応じた電圧値のパワー監視信号（以下、これをモニタ信号とも呼ぶ）を生成し、当該モニタ信号を可変抵抗２４を介して電圧増幅回路３１に与える。
【０１１５】
因みに電流／電圧変換回路３０で生成されるモニタ信号は、光電信号の電流値をＩとし、電流／電圧変換抵抗２３の抵抗値をＲｉｖとすると、（１）式
【０１１６】
−Ｉ×Ｒｉｖ                                            ……（１）
【０１１７】
で表される電圧値となる。
【０１１８】
電圧増幅回路３１は、電流／電圧変換回路３０で生成されたモニタ信号の信号レベル（すなわち、電圧値）を所望の信号レベル（すなわち、所望の電圧値）まで増幅させた後、ＡＰＣ回路へ送出する。
【０１１９】
因みに、電圧増幅回路３１は、抵抗２７の抵抗値をＲｓとし、帰還抵抗２９の抵抗値をＲｆとすると、（２）式
【０１２０】
Ｒｆ／Ｒｓ                                              ……（２）
【０１２１】
で表される増幅度で、モニタ信号を増幅している。
【０１２２】
ところでモニタ用受光素子４の受光感度には、ばらつきがある。しかしながら、フロントモニタ回路２０では、電流／電圧変換回路３０における電流／電圧の変換率（すなわち、電流／電圧変換抵抗２３の抵抗値）が固定されている。
【０１２３】
また、フロントモニタ回路２０では、電圧増幅回路３１におけるモニタ信号の増幅率も固定されている。このためフロントモニタ回路２０では、可変抵抗２４の抵抗値を外部から調整し得るようにしている。
【０１２４】
そしてフロントモニタ回路２０では、例えば、光ピックアップの製造時に外部から可変抵抗２４の抵抗値が適宜調整されることで、モニタ用受光素子４の受光感度のばらつきに起因するモニタ信号の信号レベルのばらつきを補正し得るようになされている。
【０１２５】
（４）ダイクロイックビームスプリッタの分光特性
上述のようにフロントモニタ回路２０は、モニタ用受光素子４でレーザ分光（すなわち、ＤＶＤ用反射レーザ分光Ｌ１ｂ及びＣＤ用透過レーザ分光Ｌ２ｂ）を受光して得た光電信号をもとに当該レーザ分光の光量に応じた信号レベルのモニタ信号を生成している。
【０１２６】
そしてモニタ用受光素子４の受光感度（すなわち、レーザ分光の光量と、当該レーザ分光を光電変換して得られる光電信号の電流値との比率）は、当該モニタ用受光素子４で受光したレーザ分光の波長により異なる。
【０１２７】
このため、フロントモニタ回路２０は、例えば、モニタ用受光素子４により同一の光量のＤＶＤ用反射レーザ分光Ｌ１ｂとＣＤ用透過レーザ分光Ｌ２ｂとを受光したとしても、これらの受光の際には信号レベルの異なるモニタ信号を生成することになる。
【０１２８】
すなわち、フロントモニタ回路２０では、モニタ用受光素子４の受光感度のみならず、当該モニタ用受光素子４で受光したレーザ分光の光量[Ｗ]と、そのレーザ分光をもとに生成したモニタ信号の信号レベルとの比率（以下、これをフロントモニタ感度[Ｖ／Ｗ]とも呼ぶ）も、モニタ用受光素子４で受光するレーザ分光の波長により異なる。
【０１２９】
よってフロントモニタ回路２０においてＤＶＤ用反射レーザ分光Ｌ１ｂが受光されたときのフロントモニタ感度をＳ１[ｍＶ／μＷ]とし、ＣＤ用透過レーザ分光Ｌ２ｂが受光されたときのフロントモニタ感度をＳ２[ｍＶ／μＷ]とする。
【０１３０】
またフロントモニタ回路２０においてＤＶＤ用反射レーザ分光Ｌ１ｂをもとに生成したモニタ信号（以下、これをＤＶＤ用モニタ信号とも呼ぶ）の信号レベルの補正後のゲイン（すなわち、電圧利得であり、以下、これをフロントモニタゲインとも呼ぶ）をα[ｄＢ]とする。
【０１３１】
さらにフロントモニタ回路２０においてＣＤ用透過レーザ分光Ｌ２ｂをもとに生成したモニタ信号（以下、これをＣＤ用モニタ信号とも呼ぶ）の信号レベルの補正後のフロントモニタゲインをβ[ｄＢ]とする。
【０１３２】
さらにダイクロイックビームスプリッタ３が受光するＤＶＤ用レーザ光Ｌ１の光量をＰｏ１[μＷ]とし、当該ダイクロイックビームスプリッタ３が受光するＣＤ用レーザ光Ｌ２の光量をＰｏ２[μＷ]とする。
【０１３３】
さらにまたダイクロイックビームスプリッタ３におけるＤＶＤ用レーザ光Ｌ１の分光比（透過率[％]：反射率[％]）をＴ１：Ｒ１とし、ダイクロイックビームスプリッタ３におけるＣＤ用レーザ光Ｌ２の分光比をＴ２：Ｒ２とする。
【０１３４】
そしてフロントモニタ回路２０においてＤＶＤ用反射レーザ分光Ｌ１ｂが受光されたときに出力されるＤＶＤ用モニタ信号の信号レベル [ｍＶ]をＦｐｄ１とすると、当該ＤＶＤ用モニタ信号の信号レベルは、（３）式
【０１３５】
Ｆｐｄ１＝Ｒ１・Ｐｏ１・Ｓ１・α                        ……（３）
【０１３６】
で表されるように、ＤＶＤ用レーザ光Ｌ１の光量に、ダイクロイックビームスプリッタ３の反射率を乗算して求めたＤＶＤ用反射レーザ分光Ｌ１ｂの光量にフロントモニタ感度及びフロントモニタゲインを乗算することで求めることができる。
【０１３７】
またフロントモニタ回路２０においてＣＤ用透過レーザ分光Ｌ２ｂが受光されたときに出力されるＣＤ用モニタ信号の信号レベル [ｍＶ]をＦｐｄ２とすると、当該ＣＤ用モニタ信号の信号レベルは（４）式
【０１３８】
Ｆｐｄ２＝Ｔ２・Ｐｏ２・Ｓ２・β                        ……（４）
【０１３９】
で表されるように、ＣＤ用レーザ光Ｌ２の光量に、ダイクロイックビームスプリッタ３の透過率を乗算して求めたＣＤ用透過レーザ分光Ｌ２ａの光量にフロントモニタ感度及びフロントモニタゲインを乗算することで求めることができる。
【０１４０】
ここでフロントモニタ回路２０においてフロントモニタ感度の波長依存性を解消するには、（５）式
【０１４１】
Ｆｐｄ１＝Ｆｐｄ２
Ｒ１・Ｐｏ１・Ｓ１・α＝Ｔ２・Ｐｏ２・Ｓ２・β            ……（５）
【０１４２】
で表されるように、フロントモニタ回路２０においてＤＶＤ用モニタ信号の信号レベルと、ＣＤ用モニタ信号の信号レベルとを等しくする必要がある。
【０１４３】
ただし、上述したフロントモニタ回路２０には、ＤＶＤ用モニタ信号の信号レベルとＣＤ用モニタ信号の信号レベルとの補正用に可変抵抗２４が１つのみ設けられている。
【０１４４】
このためフロントモニタ回路２０では、１つの可変抵抗２４の抵抗値を調整して、ＤＶＤ用モニタ信号の信号レベルと、ＣＤ用モニタ信号の信号レベルとを等しくする必要がある。
【０１４５】
すなわちフロントモニタ回路２０では、（６）式
【０１４６】
α＝β                                                ……（６）
【０１４７】
で表されるように１つの可変抵抗２４の抵抗値を調整して、これらＤＶＤ用モニタ信号及びＣＤ用モニタ信号のいずれか一方の信号レベルを補正するだけで、他方の信号レベルも補正し得る必要がある。
【０１４８】
よって、フロントモニタ回路２０において、ＤＶＤ用モニタ信号の信号レベルと、ＣＤ用モニタ信号の信号レベルとを等しくする場合には、可変抵抗２４を利用するモニタ信号の補正に依存するのではなく、（７）式
【０１４９】
Ｒ１・Ｐｏ１・Ｓ１＝Ｔ２・Ｐｏ２・Ｓ２                  ……（７）
【０１５０】
で表されるように、ダイクロイックビームスプリッタ３においてＤＶＤ用レーザ光Ｌ１の分光比とＣＤ用レーザ光Ｌ２の分光比とを適宜選定する必要がある。
【０１５１】
従ってダイクロイックビームスプリッタ３では、ＤＶＤ用レーザ光Ｌ１からＤＶＤ用反射レーザ分光Ｌ１ｂを分光するための反射率と、ＣＤ用レーザ光Ｌ２からＣＤ用透過レーザ分光Ｌ２ｂを分光するための透過率との比が、（７）式を展開した（８）式
【０１５２】
Ｒ１／Ｔ２＝（Ｐｏ２・Ｓ２）／（Ｐｏ１・Ｓ１）            ……（８）
【０１５３】
で表されるように、ＣＤ用レーザ光Ｌ２の光量及び対応するフロントモニタ感度の乗算結果と、ＤＶＤ用レーザ光Ｌ１の光量及び対応するフロントモニタ感度の乗算結果との比と等しくなるような分光特性を得るようにして、ＤＶＤ用レーザ光Ｌ１の分光比とＣＤ用レーザ光Ｌ２の分光比とが選定されている。
【０１５４】
そしてダイクロイックビームスプリッタ３は、ＤＶＤ１９ａやＣＤ１９ｂに対する情報の記録及び再生に何ら支障を生じさせずに（８）式を満たす分光特性を得るように適宜選定されたＤＶＤ用レーザ光Ｌ１及びＣＤ用レーザ光Ｌ２各々の分光比に応じて表面３ａに反射防止膜が形成されている。
【０１５５】
また上述の（３）〜（８）式においては、Ｓ１及びＳ２をフロントモニタ感度として表した場合について説明したが、フロントモニタ感度はモニタ用受光素子４の受光感度にのみ依存するので、フロントモニタ感度に替えてモニタ用受光素子４の受光感度を用いても良い。
【０１５６】
すなわち、ダイクロイックビームスプリッタ３の分光特性は、モニタ用受光素子４から出力される光電信号の電流値が、レーザ分光としてＤＶＤ用反射レーザ分光Ｌ１ｂを受光した場合とＣＤ用透過レーザ分光Ｌ２ｂを受光した場合とで、同じとなるようにＤＶＤ用レーザ光Ｌ１の分光比とＣＤ用レーザ光Ｌ２の分光比とを選定すればよい。
【０１５７】
したがって、ＤＶＤ用反射レーザ分光Ｌ１ｂが受光されたときの受光感度をＳ１とし、ＣＤ用透過レーザ分光Ｌ２ｂが受光されたときの受光感度をＳ２として表した場合でも、ダイクロイックビームスプリッタ３の分光特性は、同様に（８）式で表すことができる。
【０１５８】
以上のように、ダイクロイックビームスプリッタ３を、（８）式を満たす分光特性を得るようにすることで、モニタ用受光素子４が、レーザ分光としてＤＶＤ用反射レーザ分光Ｌ１ｂとＣＤ用透過レーザ分光Ｌ２ｂとの何れを受光した場合でも、同一の電流値の光電信号を生成することができる。
【０１５９】
したがって、フロントモニタ回路２０において、モニタ用受光素子４による光電変換処理以降の処理を施す信号処理経路（すなわち、電流／電圧変換回路３０、可変抵抗２４及び電圧増幅回路３１）を１の信号処理系路とすることができる。
【０１６０】
さらに、フロントモニタ回路２０では、モニタ信号の信号レベルの補正の際、ＤＶＤ用反射レーザ分光Ｌ１ｂとＣＤ用透過レーザ分光Ｌ２ｂとの何れか１つのモニタ信号の信号レベルを補正させるだけで、他方のレーザ分光についてもその補正内容をそのまま反映させることができる。
【０１６１】
以上の構成において、光ディスク装置１０は、ＤＶＤ用レーザユニット２ａでＤＶＤ用レーザ光Ｌ１を出射させると、ダイクロイックビームスプリッタ３により、当該ＤＶＤ用レーザ光Ｌ１から一部をＤＶＤ用反射レーザ分光Ｌ１ｂとして分光し、フロントモニタ回路２０のモニタ用受光素子４で、そのＤＶＤ用反射レーザ分光Ｌ１ｂを受光する。
【０１６２】
また光ディスク装置１０は、ＣＤ用レーザユニット２ｂでＣＤ用レーザ光Ｌ２を出射させると、ダイクロイックビームスプリッタ３により、当該ＣＤ用レーザ光Ｌ２から一部をＣＤ用透過レーザ分光Ｌ２ｂとして分光し、フロントモニタ回路２０のモニタ用受光素子４で、そのＣＤ用透過レーザ分光Ｌ２ｂを受光する。
【０１６３】
そして光ディスク装置１０は、この際、ダイクロイックビームスプリッタ３によりＤＶＤ用レーザ光Ｌ１及びＣＤ用レーザ光をＬ２を、モニタ用受光素子４がＤＶＤ用反射レーザ分光Ｌ１ｂ及びＣＤ用透過レーザ分光Ｌ２ｂの何れを受光しても、同一の電流値の光電信号を生成するような光量のＤＶＤ用反射レーザ分光Ｌ１ｂ及びＣＤ用透過レーザ分光Ｌ２ｂに分光する。
【０１６４】
従って光ディスク装置１０は、モニタ用受光素子４で波長の異なるＤＶＤ用反射レーザ分光Ｌ１ｂ及びＣＤ用透過レーザ分光Ｌ２ｂの何れを受光したときでも、当該受信したＤＶＤ用反射レーザ分光Ｌ１ｂ及びＣＤ用透過レーザ分光Ｌ２ｂを光電変換して同一の電流値の光電信号を生成することができる。
【０１６５】
その結果、光ディスク装置１０は、フロントモニタ回路２０においてＤＶＤ用反射レーザ分光Ｌ１ｂ及びＣＤ用透過レーザ分光Ｌ２ｂの何れの受光に応じた光電信号をもとにしても信号レベルの等しいモニタ信号を生成することができる。
【０１６６】
よって光ディスク装置１０は、モニタ用受光素子４の受光感度のばらつきを考慮して、モニタ信号の信号レベルを補正する際、フロントモニタ回路２０でＤＶＤ用反射レーザ分光Ｌ１ｂ及びＣＤ用透過レーザ分光Ｌ２ｂをもとに生成された何れか１つのモニタ信号の信号レベルを補正するだけで、他のモニタ信号にも、その信号レベルの補正を反映させることができる。
【０１６７】
すなわち、光ディスク装置１０は、記録及び再生に利用可能な光ディスク１９の種類の数だけ複数回行う必要のあったモニタ信号の信号レベルの補正を、１度で済ますことができる。よって光ディスク装置１０は、工場での製造時、製品検査時、また製品修理時等に行われるモニタ信号の補正作業の作業量を軽減し、作業性を向上させることができる。
【０１６８】
以上の構成によれば、光ディスク装置１０において、ダイクロイックビームスプリッタ３によりＤＶＤ用レーザ光Ｌ１及びＣＤ用レーザ光Ｌ２を、モニタ用受光素子４がＤＶＤ用反射レーザ分光Ｌ１ｂ及びＣＤ用透過レーザ分光Ｌ２ｂの何れを受光しても、同一の電流値の光電信号を生成するような光量のＤＶＤ用反射レーザ分光Ｌ１ｂ及びＣＤ用透過レーザ分光Ｌ２ｂに分光するようにした。これにより光ディスク装置１０は、モニタ用受光素子４で波長の異なるＤＶＤ用反射レーザ分光Ｌ１ｂ及びＣＤ用透過レーザ分光Ｌ２ｂの何れを受光したときでも、同一の電流値の光電信号に基づき信号レベルの等しいモニタ信号を生成することができ、その結果、何れか１つのモニタ信号の信号レベルを補正するだけで、他のモニタ信号にも、その信号レベルの補正を反映させることができる。よって光ディスク装置１０は、モニタ信号の補正作業を簡易化することができる。
【０１６９】
また光ディスク装置１０は、何れか１つのモニタ信号の信号レベルを補正するだけで、他のモニタ信号にも、その信号レベルの補正を反映させることにより、フロントモニタ回路２０に対し、光電信号に基づきモニタ信号を生成するための信号処理経路を１つだけ設けるようにした。従って光ディスク装置１０は、フロントモニタ回路２０の構成を簡易化することができる。
【０１７０】
さらに光ディスク装置１０は、フロントモニタ回路２０に対し、モニタ信号の信号レベルの補正用に１つの可変抵抗２４を設けるようにした。従って光ディスク装置１０は、フロントモニタ回路２０の回路構成をさらに簡易化することができる。
【０１７１】
（５）他の実施の形態
（５−１）他の実施の形態１
なお上述した実施の形態においては、光ディスク装置１０に対し１の信号処理経路及び１の可変抵抗２４を有するフロントモニタ回路２０を設けるようにした場合について述べた。
【０１７２】
しかしながら本発明は、これに限らず、光ディスク装置に対し、現在、市場で普及している２以上の信号処理経路及び２以上の可変抵抗を有するフロントモニタ回路を設け、何れか１の信号処理経路、及び対応する１の可変抵抗のみを使用するようにしても良い。
【０１７３】
かかる構成によれば、１の信号処理経路及び１の可変抵抗２４を有するフロントモニタ回路２０を特に用意しなくても、市場で普及している２以上の信号処理経路及び２以上の可変抵抗を有するフロントモニタ回路を流用して、本願発明の光ピックアップ及び光ディスク装置を容易に実現することができる。
【０１７４】
（５−２）他の実施の形態２
また上述した実施の形態においては、ダイクロイックビームスプリッタ３に対し、上述した（８）式を満たすように反射防止膜を形成するようにした場合について述べた。
【０１７５】
しかしながら本発明は、これに限らず、ダイクロイックビームスプリッタ３に対し、その製造歩留り等を考慮して、（９）式
【０１７６】
Ｒ１／Ｔ２≒（Ｐｏ２・Ｓ２）／（Ｐｏ１・Ｓ１）          ……（９）
【０１７７】
を満たすように反射防止膜を形成するようにしても良い。
【０１７８】
（５−３）他の実施の形態３
さらに上述した実施の形態においては、本発明による光ピックアップを、図１乃至図４について上述したノート型のコンピュータに設けられる光ディスク装置１０内の光ピックアップ１に適用するようにした場合について述べた。
【０１７９】
しかしながら本発明は、これに限らず、デスクトップ型のコンピュータに設けられる光ディスク装置や、コンピュータ等に外付け可能な光ディスク装置、２種類以上の光ディスクに対して情報を記録及び又は再生可能な光ディスク装置、光ディスクに対し情報を記録可能な記録装置や、光ディスクから情報を再生可能な再生装置等のように、この他種々の構成の光ディスク装置に設けられる光ピックアップに広く適用することができる。
【０１８０】
（５−４）他の実施の形態４
さらに上述した実施の形態においては、本発明による光ディスク装置を、図１乃至図４について上述したノートブック型のコンピュータに設けられる光ディスク装置１０に適用するようにした場合について述べた。
【０１８１】
しかしながら本発明は、これに限らず、デスクトップ型のコンピュータに設けられる光ディスク装置や、コンピュータ等に外付け可能な光ディスク装置、２種類以上の光ディスクに対して情報を記録及び又は再生可能な光ディスク装置、光ディスクに対し情報を記録可能な記録装置や、光ディスクから情報を再生可能な再生装置等のように、この他種々の構成の光ディスク装置に広く適用することができる。
【０１８２】
（５−５）他の実施の形態５
さらに上述した実施の形態においては、それぞれ波長の異なるレーザ光を出射する少なくとも２以上のレーザ光源として、図１乃至図４について上述したＤＶＤ用レーザユニット２ａ及びＣＤ用レーザユニット２ｂに設けられたレーザダイオード５ａ，５ｂを適用するようにした。
【０１８３】
しかしながら本発明は、これに限らず、モノリシック集積型の２波長レーザのような１の半導体基板上に形成された２以上のレーザ光源や、ＤＶＤ方式、ＣＤ方式及びブルーレイディスク（波長４０５ｎｍ）方式に対応する３種類のレーザ光源、さらには、これらＤＶＤ方式、ＣＤ方式及びブルーレイディスク方式に対応する３種類のレーザ光源のうち、任意に組み合せられた２種類のレーザ光源等のように、この他種々のレーザ光源を広く適用することができる。
【０１８４】
（５−６）他の実施の形態６
さらに上述した実施の形態においては、２以上のレーザ光源から出射された波長の異なるレーザ光を集光する集光レンズとして、図１乃至図４について上述した対物レンズ１８を適用するようにした。
【０１８５】
しかしながら本発明は、これに限らず、２以上のレーザ光源から出射された波長の異なるレーザ光を集光し得れば、この他種々の集光レンズを広く適用することができる。
【０１８６】
（５−７）他の実施の形態７
さらに上述した実施の形態においては、２以上のレーザ光源と集光レンズとの光路の途中に配置され、２以上のレーザ光源から出射された波長の異なるレーザ光の一部をそれぞれレーザ分光として、当該レーザ光の発光パワーの監視用に分光する分光素子として、図１乃至図４について上述したダイクロイックビームスプリッタ３を適用するようにした。
【０１８７】
しかしながら本発明は、これに限らず、プリズム型やウェッジ基板型のビームスプリッタ、またビームスプリッタ以外の光学素子や、複数の光学素子を組み合わせて形成された分光素子等のように、この他種々の分光素子を広く適用することができる。
【０１８８】
すなわち、図５に示すように、光ピックアップ３３に対し、プリズム型のビームスプリッタ３２を設けるようにしても良い。かかる構成においても、ビームスプリッタ３２に対し上述の（８）式を満たすように反射膜及び又は透過膜を形成することで、上述した実施の形態と同様の効果を得ることができる。
【０１８９】
（５−８）他の実施の形態８
さらに上述した実施の形態においては、分光素子により波長の異なるレーザ光各々から分光されたレーザ分光を受光すると共に、当該受光したレーザ分光を光電変換することにより光電信号を生成する受光素子として、図１乃至図４について上述したフォトダイオードを適用するようにした。
【０１９０】
しかしながら本発明は、これに限らず、フォトトランジスタ等のように、この他種々の受光素子を広く適用することができる。
【０１９１】
（５−９）他の実施の形態９
さらに上述した実施の形態においては、受光素子により生成された光電信号に基づき、発光パワーの監視に用いられるパワー監視信号を生成する監視信号生成部として、図１乃至図４について上述したフロントモニタ回路２０の電流／電圧変換回路３０を適用するようにした。
【０１９２】
しかしながら本発明は、これに限らず、受光素子により生成された光電信号に基づき、発光パワーの監視に用いられるパワー監視信号を生成することができれば、上述したように２つの信号処理経路を有する電流／電圧変換回路等のように、この他種々の構成の監視信号生成部を広く適用することができる。
【０１９３】
（５−１０）他の実施の形態１０
さらに上述した実施の形態においては、監視信号生成部により生成されたパワー監視信号の信号レベルを補正するための補正部として、図１乃至図４について上述した可変抵抗２４を適用するようにした。
【０１９４】
しかしながら本発明は、これに限らず、監視信号生成部により生成されたパワー監視信号の信号レベルを補正することができれば、この他種々の構成の補正部を広く適用することができる。
【０１９５】
（５−１１）他の実施の形態１１
さらに上述した実施の形態においては、受光素子により生成された光電信号に基づき、レーザ光源の出射するレーザ光の発光パワーを制御するパワー制御部として、図１乃至図４について上述したＡＰＣ回路を適用するようにした。
【０１９６】
しかしながら本発明は、これに限らず、受光素子により生成された光電信号に基づき、レーザ光源の出射するレーザ光の発光パワーを制御することができれば、この他種々の構成のパワー制御部を広く適用することができる。
【産業上の利用可能性】
【０１９７】
本発明は、ＤＶＤ方式及びＣＤ方式の２方式に対応する光ピックアップ及び光ディスク装置に利用することができる。
【図面の簡単な説明】
【０１９８】
【図１】本発明による光ディスク装置の全体構成の一実施の形態を示すブロック図である。
【図２】光ピックアップの構成（１）を示す光学ブロック図である。
【図３】光ピックアップの構成（２）を示す光学ブロック図である。
【図４】フロントモニタ回路の回路構成を示すブロック図である。
【図５】他の実施形態による光ピックアップの構成を示す光学ブロック図である。
【符号の説明】
【０１９９】
１……光ピックアップ、２ａ……ＤＶＤ用レーザユニット、２ｂ……ＣＤ用レーザユニット、３……ダイクロイックビームスプリッタ、４……モニタ用受光素子、１０……光ディスク装置、１９……光ディスク、２０……フロントモニタ回路、２４……可変抵抗、３０……電流／電圧変換回路。
【図１】
2009252257.tif 000003
【図２】
2009252257.tif 000004
【図３】
2009252257.tif 000005
【図４】
2009252257.tif 000006
【図５】
2009252257.tif 000007